(57)【要約】【課題】  パチンコ機には、液晶等の画像表示装置を取り付けたものとそうでないものがあり、画像表示装置を有する機種群の華やかさに較べてそうでない機種群は一見して見劣りする。従って、画像表示装置を有しない機種群を集めたスペースには遊技客が寄りつきにくい。【解決手段】  全部又は一部を透明にした遊技板７と、模様等の表示物を描いたフィルム１７を走行させて該表示物を移動させるフィルム走行式表示装置９とを有し、遊技板７の裏側であって機前にいる遊技者から視認可能な位置に前記フィルム走行式表示装置９を設置し、該表示装置９のフィルム１７を走行させて表示物を移動させ、その表示物の移動で遊技板面に視覚的な変化を与えるようにした弾球遊技機１を提供する。【選択図】        図１
2007061471.tif 000002
【特許請求の範囲】
【請求項１】
全部又は一部を透明にした遊技板と、
文字、図形、記号、模様等の表示物を描いたフィルムを走行させて該表示物を移動させるフィルム走行式表示装置と、を有し、
前記遊技板の裏側であって機前にいる遊技者から視認可能な位置に前記フィルム走行式表示装置を設置し、該フィルム走行式表示装置のフィルムを走行させて表示物を移動させ、その表示物の移動で遊技板面に視覚的な変化を与えるようにした弾球遊技機。
【請求項２】
前記フィルム走行式表示装置は、前記フィルムをエンドレスな無端ベルト状に形成すると共に該フィルムを少なくとも２本のフィルムプーリ間に掛け渡し、そのフィルムを電気的駆動源によりエンドレスに周回させるものであることを特徴とする請求項１記載の弾球遊技機。
【請求項３】
前記フィルムを２枚使用して少なくとも一方を透明とし、その透明なフィルムを前側（遊技者側）に配して前後方向に並べ、さらに各フィルムを異方向又は異速度にして移動させるようにしたことを特徴とする請求項１又は２記載の弾球遊技機。
【請求項４】
前記フィルムと遊技板表面との間に凹又は凸レンズ状の変形透明部を設けてなることを特徴とする請求項１乃至３の何れか１項に記載の弾球遊技機。
【請求項５】
前記変形透明部を遊技板に形成した請求項４記載の弾球遊技機。
【発明の詳細な説明】
【技術分野】
【０００１】
本発明は、パチンコ機やスマートボール機等の弾球遊技機に関する。
【背景技術】
【０００２】
弾球遊技機の１種であるパチンコ機について説明する。
周知のようにパチンコ機は、遊技板の表面をガイドレールで囲って遊技領域とし、その遊技領域に遊技球を打ち込んで所定の入賞口に入賞させるものである。遊技領域には入賞口以外に、遊技球の落下に変化を与える障害釘や風車があり、また、最も下の位置にアウト球口がある。また、遊技内容に応じて遊技領域のほぼ中央に液晶等の画像表示装置を設けたものもある。
【発明の開示】
【発明が解決しようとする課題】
【０００３】
現在、主流となっているパチンコ機には、前記した液晶等の画像表示装置が取り付けられており、鮮明且つ滑らかな動画が常時表示されている。
一方、パチンコ機には画像表示装置を有しない機種も存在し、そのような機種では遊技板の表面に図柄等が印刷されているのみである。
しかしてパチンコ遊技場では、パチンコ機を機種ごとのグループにまとめて設置する傾向にあり、そうすると画像表示装置を有する機種群の華やかさに較べて、画像表示装置を有しない機種群が一見して見劣りするため、画像表示装置を有しない機種群を集めたスペースに遊技客が寄りつきにくい問題点があった。
かといって画像表示装置を必要としない遊技内容のパチンコ機に対し、装飾効果を高める目的でのみ画像表示装置を設置するのは、高価になりすぎるため実現困難である。
【課題を解決するための手段】
【０００４】
請求項１に記載したように、全部又は一部を透明にした遊技板と、文字、図形、記号、模様等の表示物を描いたフィルムを走行させて該表示物を移動させるフィルム走行式表示装置と、を有し、前記遊技板の裏側であって機前にいる遊技者から視認可能な位置に前記フィルム走行式表示装置を設置し、該フィルム走行式表示装置のフィルムを走行させて表示物を移動させ、その表示物の移動で遊技板面に視覚的な変化を与えるようにした弾球遊技機を提供する。
【０００５】
また、請求項２に記載したように、前記フィルム走行式表示装置は、前記フィルムをエンドレスな無端ベルト状に形成すると共に該フィルムを少なくとも２本のフィルムプーリ間に掛け渡し、そのフィルムを電気的駆動源によりエンドレスに周回させるものである請求項１記載の弾球遊技機を提供する。
【０００６】
また、請求項３に記載したように、前記フィルムを２枚使用して少なくとも一方を透明とし、その透明なフィルムを前側（遊技者側）に配して前後方向に並べ、さらに各フィルムを異方向又は異速度にして移動させるようにした請求項１又は２記載の弾球遊技機を提供する。
【０００７】
また、請求項４に記載したように、前記フィルムと遊技板表面との間に凹又は凸レンズ状の変形透明部を設けてなる請求項１乃至３の何れか１項に記載の弾球遊技機を提供する。
【０００８】
また、請求項５に記載したように、前記変形透明部を遊技板に形成した請求項４記載の弾球遊技機を提供する。
【発明の効果】
【０００９】
フィルム走行式表示装置のフィルムを遊技板の裏側で走行させ、該フィルムに描いた表示物の移動で遊技板面に視覚的な変化を与えるようにしたため、画像表示装置を有する遊技機における動画のような表示効果を得ることができる。また、フィルム走行式表示装置は液晶等に比べて遥かに低価格であるため、価格面でも十分に実現可能である。
【００１０】
また、請求項３の弾球遊技機は、２枚のフィルムを重ねて夫々の表示物を異方向又は異速度にして移動させるようにしたため、表示物同士が交錯して表示に多彩な変化をもたらし、より動画っぽく見せることができる。
【００１１】
また、請求項４の弾球遊技機は、最前面のフィルム面から遊技板表面までの間に凹又は凸レンズ状の変形透明部を設けたため、透過する光の歪みによって表示物が揺らいでいるかのように見せることができ、それによって表示に多彩な変化をもたらすことができる。また、請求項５のように変形透明部を遊技板に形成すれば、変形透明部を独立して形成する場合に比べて奥行き方向の厚みを薄くコンパクトにすることができる。
【発明を実施するための最良の形態】
【００１２】
［実施形態１］
以下に本発明の実施形態１をパチンコ機を例示して図１乃至図３により説明する。なお、図１は中間を省略したパチンコ機の横断面図、図２はフィルム走行式表示装置の要部を示す縦断面図、図３はパチンコ機の正面図である。
【００１３】
本発明のパチンコ機１は、図１，図３に示したように、四角い枠状の外枠２と、その外枠２の前面に扉状に開閉自在なるように軸着した前枠３と、その前枠３に開設した窓孔４と、該窓孔４を覆うべく前枠３の前面に軸着した開閉自在なガラス扉５と、前記前枠３の裏側に設けた桟枠６と、該桟枠６に装着した着脱自在な遊技板７と、前記桟枠６に装着した機構板８と、該機構板８に取り付けたフィルム走行式表示装置９とから概略構成される。
【００１４】
前記遊技板７は、全体が透明な合成樹脂製であり、透明なガラス板のように裏側が透けて見える。遊技板７の透明度はもちろん高いほど好ましいが、後述するフィルム走行式表示装置９の表示物１０ａ，１０ｂの内容に応じて表示物１０ａ，１０ｂがぼやけて見える程度の透明度でもよい。また、透明で有れば有色・無色の何れでもよく、前記表示物１０ａ，１０ｂの内容に応じて適宜選択すればよい。
【００１５】
遊技板７の表面にはガイドレール１１によって囲われた円形の遊技領域１１ａが形成されており、その遊技領域１１ａに、遊技球の落下方向を変化させる障害釘１２や風車１３、遊技球を受け入れる入賞ポケット１４、遊技球を受け入れる可変構造の入賞口を備えその入賞口の広さを大小に変化させたり或は開閉させたりする等の機能を有する入賞装置１５、入賞しなかった遊技球が入るアウト球口３９等が設けられている。
【００１６】
前記機構板８は、図示しないが球タンク、球放出装置、球放出樋、球排出樋、制御装置などの要素を集約設置した周知のものであり、前記桟枠６に開閉可能なように取り付けられている。なお、この機構板８は開閉或は着脱自在であることを要せず前枠３と一体であってもよい。
【００１７】
前記フィルム走行式表示装置９は、図１に示したように、遊技板７の裏面との間に遊技球１個分以上の球集合スペース１６を設けた状態にして前記機構板８に取り付けられている。該フィルム走行式表示装置９は、図１乃至図３に示したように、文字、図形、記号、模様等の表示物１０ａ，１０ｂ…を印刷したエンドレスな無端ベルト状の合成樹脂製フィルム１７と、該フィルム１７を巻掛ける２本の垂直なフィルムプーリ１８ａ，１８ｂと、一方のフィルムプーリ１８ａを回転させる電気的駆動源たるモータ１９と、前面開口状のボックスケース２０と、該ボックスケース２０の前面開口部を塞ぐ透明カバー体２１と、フィルムプーリ１８ａ，１８ｂ間に巻掛けたフィルム１７の中に立設した例えば蛍光灯のような照明手段２２と、同じくフィルム１７の内部に立設した反射板２３と、から概略構成される。なお、このフィルム走行式表示装置９は、図３破線に示したように遊技板７の遊技領域１１ａの全体をカバーする大きさである。
【００１８】
前記フィルムプーリ１８ａ，１８ｂは、図２に示したように、回転軸２４の上下端にフランジ２５付きのローラー部材２６ａを固着したものであり、該ローラー部材２６ａの胴部ほぼ半周にフィルム１７が巻き付いて適度な摩擦抵抗が作用するようになっている。なお、フィルムプーリ１８ａ，１８ｂの前記フランジ２５でフィルム１７の上下方向の移動が規制される。
【００１９】
また、一方のフィルムプーリ１８ａの下のローラー部材２６ａには、その下面に駆動用のベルトプーリ２７が一体に形成されており、そのベルトプーリ２７と前記モータ１９の原動プーリ２８ａに駆動ベルト２９を平行掛けし、その駆動ベルト２９を介してモータ１９の回転がフィルムプーリ１８ａに伝わるようになっている。
【００２０】
前記ボックスケース２０の前面開口部を塞ぐ透明カバー体２１には変形透明部３０が片面全体に形成されている。実施形態の変形透明部３０は、凸レンズ状の肉厚部３０ａと、凹レンズ状の肉薄部３０ｂが波形に形成されており、肉厚部３０ａから肉薄部３０ｂへと表示物１０ａ，１０ｂが移動すると、肉厚部３０ａで拡大されて見える部分と肉薄部３０ｂで縮小されて見える部分が連続し、全体として表示物１０ａ，１０ｂが揺らいでいるように見える。
【００２１】
その他、図３中、符号３１はガラス扉５の前面下方に突設した上球皿、３２は前枠３の前面下方隅角部に設けた球勢調節用のハンドル、３３は前枠３の前面下方に突設した下球皿、３４はその下球皿３３の横に設けた灰皿、３５，３５は遊技板７の遊技領域１１ａの両横に固着した装飾用のランプである。
【００２２】
本発明のパチンコ機１は以上のような構成であるため、パチンコ機１に電源を入れるとフィルム走行式表示装置９に通電され、照明手段２２が点灯し、その照明手段２２の直接光と反射板２３で反射される反射光でフィルム１７の表示物１０ａ，１０ｂが遊技板７の表面に明るく写し出される。
一方、照明手段２２の点灯と同時にモータ１９が作動する。そうすると駆動ベルト２９を介して一方のフィルムプーリ１８ａが回転し、ローラー部材２６ａとフィルム１７の摩擦抵抗によりフィルム１７が動いてフィルムプーリ１８ａ，１８ｂ間を周回する。これにより表示物１０ａ，１０ｂが移動し、その表示物１０ａ，１０ｂの移動で遊技板７面に画像表示装置を設けたかのような視覚的な変化がもたらされる。
【００２３】
また、入賞ポケット１４や入賞装置１５に入賞した遊技球（以下単に入賞球ともいう。）は、個々に装着した球センサーで検出され、遊技板７の裏側の球集合スペース１６に落下する。なお、かかる遊技球の落下に備えて遊技板７の裏面には、下流に位置する入賞ポケット１４や入賞装置１５の上方に庇部材３６（図３破線参照）を突設し、上から落下する入賞球が下に位置する入賞ポケット１４等に衝突しないようになっている。このように遊技板７の裏面に庇部材３６を突設して入賞球を自然落下させる方式を採用すれば、入賞球を案内する樋部材が不要になるため、透明な遊技板７の裏側に樋部材が見える見苦しさが解消できる。また、遊技板７の裏面に前記樋部材のような裏部品を取り付ける必要がある場合には、遊技板７の裏面に当接する裏部品の腹面に模様等を描いてフィルム１７の表示物１０ａ，１０ｂと視覚的に同化させるようにすればよい。
【００２４】
なお、フィルム走行式表示装置９は、ボックスケース２０の内部に全ての部品を収めてユニット化されており、例えば機構板８に対してユニットごと着脱し得る。このようにフィルム走行式表示装置９をユニット化してパチンコ機側の取付部に対し着脱自在とすることにより、フィルム走行式表示装置９の交換が容易になり、フィルム１７を定期的に変更する、というような作業が能率良く行える。
【００２５】
［実施形態２］
図４は本発明の実施形態２を示すパチンコ機の正面図である。なお、図４において図１乃至図３と同一の符号を付した部分は、実施形態１と同一又は同機能の要素を示すものであり、よってそれらの要素に関する説明を省略する。
【００２６】
実施形態２のパチンコ機１は、遊技板７の一部たる上半部を透明にしたものであり、下半部には適宜な印刷を施して目隠ししてある。通常、遊技板７の上半部には前記した樋部材等の裏部品が殆ど必要ないため、裏部品や入賞球の通路を考慮することなくフィルム走行式表示装置９が設置できる。
また、遊技板７の上半部に限らず部分的に透明な領域を作成し、その部分から表示物１０ａが見えるようにしてもよい。遊技板７の装飾を目的とした場合にはこのような部分的な表示でも十分に効果を発揮する。
【００２７】
［実施形態３］
図５，図６は本発明の実施形態３を示すものであって、図５は中間を省略したパチンコ機の横断面図、図６はフィルム走行式表示装置の要部を示す縦断面図である。なお、図５，図６において図１乃至図４と同一の符号を付した部分は、実施形態１，２と同一又は同機能の要素を示すものであり、よってそれらの要素に関する説明を省略する。
【００２８】
実施形態３のパチンコ機１は、フィルム走行式表示装置９のフィルム１７，１７を２枚使用し、一方のフィルム１７の外側をもう一方のフィルム１７で取り囲む２重構造としたものである。２枚あるフィルム１７の外側のものは透明であり、例えば図３の表示物１０ａが外側のフィルム１７に、また、表示物１０ｂが内側のフィルム１７に描かれていて、外側のフィルム１７の透明な部分から内側の表示物１０ｂが見えるようになっている。
【００２９】
この実施形態３のフィルムプーリ１８ａ，１８ｂは、２枚のフィルム１７，１７に対応すべく、内側のフィルム１７に対応する小径の内用ローラー部材２６ｂと、外側のフィルム１７に対応する大径の外用ローラー部材２６ｃを有し、外用ローラー部材２６ｃを前記回転軸２４に対し回転自在とし、一方、内用ローラー部材２６ｂを回転軸２４と一体にしてある。そして、フィルムプーリ１８ａの外用ローラー部材２６ｃの下側のものには、その下面に駆動用の外用プーリ３７ａが一体に形成されており、また、回転軸２４の下端に駆動用の内用プーリ３７ｂが一体に形成されている。
【００３０】
一方、フィルムプーリ１８ａ駆動用のモータ１９には、その出力軸に前記外用プーリ３７ａと内用プーリ３７ｂに対応する二つの原動プーリ２８ｂ，２８ｃが一体に固着されている。そして、原動プーリ２８ｂと外用プーリ３７ａに駆動ベルト２９が平行掛けされ、また、原動プーリ２８ｃと内用プーリ３７ｂに駆動ベルト２９が十字掛けされている。従って、モータ１９の出力軸を回転させると、外用プーリ３７ａがモータ１９の出力軸と同一方向に回転し、内用プーリ３７ｂがモータ１９の出力軸と逆向きに回転する。よって、内側のフィルム１７に対応する内用ローラー部材２６ｂと、外側のフィルム１７に対応する外用ローラー部材２６ｃが夫々逆向きに回転するため、２枚のフィルム１７，１７は異方向に周回し、そこに描かれている表示物１０ａ，１０ｂ同士も異方向に移動する。
【００３１】
なお、実施形態３では原動プーリ２８ｃと内用プーリ３７ｂに掛け渡した駆動ベルト２９を十字掛けにしたが、平行掛けにしてもよい。そうした場合には外用プーリ３７ａと内用プーリ３７ｂが同方向に同速度で回転するが、外用プーリ３７ａと内用プーリ３７ｂの直径が大小相違するため、２枚のフィルム１７，１７が異速度で同方向に周回することになる。従って表示物１０ａ，１０ｂは同じ横方向に移動しつつも、表示物１０ａと表示物１０ｂの速度が異なるため、例えば遠近法を利用して表示を立体的に見せる、というような工夫が施せる。
【００３２】
［実施形態４］  
図７は本発明の実施形態４を示すパチンコ機の中間を省略した横断面図である。なお、図７において図１乃至図６と同一の符号を付した部分は、実施形態１乃至３と同一又は同機能の要素を示すものであり、よってそれらの要素に関する説明を省略する。
【００３３】
実施形態４のパチンコ機１は、実施形態１においてフィルム走行式表示装置９の透明カバー体２１に設けた変形透明部３０を、遊技板７自体、すなわち遊技板７の裏面に形成したものである。この場合も実施形態１と同様に表示物１０ａ，１０ｂの動きに光の歪みによる変化を与えることができる。
また、実施形態４の場合は、変形透明部３０を遊技板７自体に形成したことにより、フィルム走行式表示装置９の透明カバー体２１を薄く平らにすることができ、その結果、フィルム走行式表示装置９の薄型化、ひいてはパチンコ機１自体の薄型化に貢献する。
なお、図７中符号３８は遊技板７の裏面をカバーする透明な裏カバーであり、遊技板７裏面の凸凹を平らに補正して球集合スペース１６における入賞球の流れを円滑にするためのものである。
【００３４】
以上、本発明を実施形態１乃至４について説明したが、もちろん本発明は上記各実施形態に限定されるものではない。例えば、実施形態ではフィルムプーリ１８ａ，１８ｂを垂直に立てて表示物１０ａ，１０ｂを横方向に移動させるようにしたが、フィルム走行式表示装置９を９０度回転させて表示物１０ａ，１０ｂを縦方向に移動させてもよい。また、その応用として実施形態３のように２枚のフィルム１７，１７を使用し、一方のフィルム１７の表示物１０ａの移動を横方向に、そしてもう一方のフィルム１７の表示物１０ｂの移動を縦方向に設定し、表示物１０ａ，１０ｂの動きをクロスさせるようにしてもよい。
【００３５】
また、実施形態ではフィルムプーリ１８ａ，１８ｂの本数を２本にしたが、３本以上に増設することもできる。
また、実施形態では、モータ１９とフィルムプーリ１８ａをつなぐ動力伝達手段として駆動ベルト２９による巻掛け伝導機構を採用したが、複数の歯車を組み合わせて動力を伝達するようにしてももちろんよい。
また、実施形態ではフィルム１７をエンドレスな無端ベルト状に形成したが、フィルム１７を長尺ベルト状に形成し、例えば実施形態１のフィルムプーリ１８ａ，１８ｂを巻き取りロールに変換し、フィルム１７を何れか一方の巻き取りロールに巻き取る動きで表示物１０ａ，１０ｂを移動させ、そのようなフィルム１７の巻き取り方向を適度な間隔で切り替えるようにしてもよい。
【００３６】
また、実施形態ではフィルム１７の表示物１０ａ，１０ｂとして絵を描いたが、表示物１０ａ，１０ｂを文字や図柄にして文字情報（遊技場の休館日、サービス内容、当たり図柄等）を表示したり、或は文字・図形・模様・写真等を使って広告を表示してもよい。
また、実施形態の全てに変形透明部３０を設けるようにしたが、そのような変形透明部３０を設けない場合であっても一定の効果を得ることは可能である。
また、実施形態では本発明の弾球遊技機をパチンコ機を例に説明したが、本発明はスマートボール機など、遊技板を備えた弾球遊技機全般に適用できる。
【図面の簡単な説明】
【００３７】
【図１】中間を省略したパチンコ機の横断面図である。
【図２】フィルム走行式表示装置の要部を示す縦断面図である。
【図３】パチンコ機の正面図である。
【図４】パチンコ機の正面図である。
【図５】中間を省略したパチンコ機の横断面図である。
【図６】フィルム走行式表示装置の要部を示す縦断面図である。
【図７】パチンコ機の中間を省略した横断面図である。
【符号の説明】
【００３８】
１  …パチンコ機（弾球遊技機）
７  …遊技板
９  …フィルム走行式表示装置
１０ａ，１０ｂ  …表示物
１７  …フィルム
１８ａ，１８ｂ  …フィルムプーリ
１９  …モータ（電気的駆動源）
３０  …変形透明部
【図１】
2007061471.tif 000003
【図２】
2007061471.tif 000004
【図３】
2007061471.tif 000005
【図４】
2007061471.tif 000006
【図５】
2007061471.tif 000007
【図６】
2007061471.tif 000008
【図７】
2007061471.tif 000009